(57)【要約】  【課題】  着脱が容易でかつ軽量であり、また、装着部位に圧迫感を与えることがなく、当該装着部位にフィットした状態で装着することができる磁気治療具を提供する。  【解決手段】  本発明は、身体の所定部位に沿うように形状を変化させることが可能であるとともに当該形状を変化させたときの形状保持が可能な磁気治療具１であって、細長い形状の第一ゴム状弾性体１０と、第一ゴム状弾性体１０の長手方向に沿って配設されており、ポリカーボネートよりも形状保持能力の高い合成樹脂でなる形状保持用の芯材２０と、身体に磁力を及ぼすように第一ゴム状弾性体１０に含まれる磁性材３０と、を備える磁気治療具１に関する。【選択図】図１
2018175422.tif 000002
【特許請求の範囲】
【請求項１】
身体の所定部位に沿うように形状を変化させることが可能であるとともに当該形状を変化させたときの形状保持が可能な磁気治療具であって、
細長い形状の第一ゴム状弾性体と、
前記第一ゴム状弾性体の長手方向に沿って配設されており、主としてポリカーボネートよりも形状保持能力の高い合成樹脂でなる形状保持用の芯材と、
前記身体に磁力を及ぼすように前記第一ゴム状弾性体に含まれる磁性材と、
を備えることを特徴とする磁気治療具。
【請求項２】
前記芯材は、主としてスチレン・ブタジエンブロック共重合体および／または高密度ポリエチレンから成ることを特徴とする請求項１に記載の磁気治療具。
【請求項３】
前記磁性材は、磁粉および固形磁石であって、
前記第一ゴム状弾性体は、
前記磁粉が分散されている磁粉入り第二ゴム状弾性体と、
前記固形磁石の一部が露出するように当該固形磁石が埋設され、前記磁粉入り第二ゴム状弾性体の長手方向に沿って当該磁粉入り第二ゴム状弾性体と一体化されている第三ゴム状弾性体と、を有し、
前記芯材は、前記磁粉入り第二ゴム状弾性体および前記第三ゴム状弾性体の少なくとも一方の長手方向に沿って配設されていることを特徴とする請求項１または２に記載の磁気治療具。
【請求項４】
前記磁性材は、磁粉および固形磁石であって、
前記第一ゴム状弾性体は、前記磁粉が分散されている磁粉入り第二ゴム状弾性体を有し、当該磁粉入り第二ゴム状弾性体には、前記固形磁石の一部が露出するように当該固形磁石が埋設され、かつ前記芯材は当該磁粉入り第二ゴム状弾性体の長手方向に沿って配設されていることを特徴とする請求項１または２に記載の磁気治療具。
【請求項５】
前記磁性材は、固形磁石であって、
前記第一ゴム状弾性体は、前記固形磁石の一部が露出するように当該固形磁石が埋設されている第三ゴム状弾性体を有し、
前記芯材は、前記第三ゴム状弾性体の長手方向に沿って配設されていることを特徴とする請求項１または２に記載の磁気治療具。
【請求項６】
前記磁性材は、磁粉であって、
前記第一ゴム状弾性体は、
前記磁粉が分散されている磁粉入り第二ゴム状弾性体と、
前記磁粉入り第二ゴム状弾性体の長手方向に沿って当該磁粉入り第二ゴム状弾性体と一体化されている第三ゴム状弾性体と、を有し、
前記芯材は、前記磁粉入り第二ゴム状弾性体および前記第三ゴム状弾性体の少なくとも一方の長手方向に沿って配設されていることを特徴とする請求項１または２に記載の磁気治療具。
【請求項７】
前記磁性材は、磁粉であって、
前記第一ゴム状弾性体は、前記磁粉が分散されている磁粉入り第二ゴム状弾性体を有し、前記芯材は、当該磁粉入り第二ゴム状弾性体の長手方向に沿って配設されていることを特徴とする請求項または２に記載の磁気治療具。
【請求項８】
複数個の前記固形磁石が前記第一ゴム状弾性体の長手方向に沿って配置されていることを特徴とする請求項３〜５のいずれか１項に記載の磁気治療具。
【請求項９】
前記磁粉入り第二ゴム状弾性体の断面周方向に沿った表面に、前記磁粉の存在しない表層が形成されていることを特徴とする請求項３、４、６または７のいずれか１項に記載の磁気治療具。
【発明の詳細な説明】
【技術分野】
【０００１】
本発明は、磁気治療具に関する。
【背景技術】
【０００２】
従来から、血行促進作用の効果が期待できる治療具として、身体の一部（例えば、頸部など）に装着するタイプの様々な磁気治療具が提案されている（特許文献１および２を参照）。
【０００３】
特許文献１に記載されている磁気治療具（従来の第１磁気治療具という）は、シリコーンゴムと磁粉との混合物により形成されている長尺な磁石部と、シリコーンゴムにより形成されるとともに磁石部の外周をその全周に渡って被覆する被覆部と、被覆部の一方の端部に設けられている係止部と、被覆部の他方の端部に設けられている被係止部とを備えた磁気治療具である。このように構成されている磁気治療具は、係止部の係止突起を被係止部の係止孔に係合させることによってリング状となり、磁気ネックレスとして使用するものである。
【０００４】
特許文献２に記載されている磁気治療具（従来の第２磁気治療具という）は、弾性を有する拡開可能な装着バンドと、当該装着バンドに取り付けられている複数の発磁部（固形磁石）と、これら全体を被覆する被膜とから構成されている。なお、被膜には合成樹脂やシリコーンゴムが使用されている。このように構成されている従来の第２磁気治療具は、弾性を有し、全体的な形状をＣ字形とし、そのＣ字形をなす装着バンドを拡開させて頸部などに装着するものである。従来の第２磁気治療具は、頸部などに装着された状態において、弾性による復帰力によって装着状態が保持可能である。
【０００５】
また、磁気治療具とは異なるが、身体の一部（この場合、腕）に巻き付けるように装着する装飾腕輪も知られている（特許文献３を参照）。
【０００６】
特許文献３に記載されている装飾腕輪は、身体の一部に巻き付けるようにして装着するという点では、従来の第１磁気治療具および従来の第２磁気治療具と共通する。特許文献３に記載されている装飾腕輪が従来の第１磁気治療具および従来の第２磁気治療具と異なる点は、変形自在な材質（鉛など）からなる棒状の芯材を、柔軟性を有する被覆部材で被覆した構成となっていることから、変形自在でかつ変形した形状を保持する機能（形状保持機能という）に優れている点である。このため、当該装飾腕輪を、腕に装着する際には、腕の表面形状に沿わせるように変形させることができる。この結果、装飾腕輪は、腕の太さや表面形状及び凹凸などの個人差に対応させることができるとともに、形状保持機能によって腕の周面に沿うように装着されるためフィット感に優れたものとなる。
【先行技術文献】
【特許文献】
【０００７】
【特許文献１】特開２００８−１７３４０５号公報
【特許文献２】実用新案登録第３１９１４６９号公報
【特許文献３】実開昭６０−１２６０１２号公報
【発明の概要】
【発明が解決しようとする課題】
【０００８】
従来の第１磁気治療具は、係止突起を係止孔に係合させることによってリング状の磁気ネックレスとして使用される。このため、従来の第１磁気治療具を着用する際には、着脱の度に係止突起と係止孔とを係合させ、あるいはその係合を解除させる必要があり煩わしさに堪えない。また、リング状としたときのリング径は決まっているため、頸部の太さや表面形状などの個人差に対応できない。さらには、従来の第１磁気治療具は、頸部の周面に沿うように装着されるものではないためフィット感に乏しい。また、従来の第１磁気治療具は、身体を動かす運動をしたときに揺れ動きが大きくなり過ぎる場合もあり、運動に支障が生じる場合もある。
【０００９】
次に、従来の第２磁気治療具は、装着バンドの弾性によって拡開可能となっている。このため、当該装着バンドを頸部に装着した状態において、装着バンドには弾性による復帰力が働くため、装着された状態が保持される。しかし、装着バンドの復帰力が常時、頸部に働くこととなるため、頸部に圧迫感を与えるおそれがある。
【００１０】
次に、特許文献３に記載されている装飾腕輪は、変形自在な材質（鉛など）からなる棒状の芯体を、柔軟性を有する被覆部材で被覆した構成となっている。このため、任意の形状に変形することができ、しかも、その形状を保持することができる。しかし、当該装飾腕輪は、芯材の材料に鉛などの金属を用いているため重くなるといった問題を有する。
【００１１】
当該装飾腕輪の構造を仮に従来の第１磁気治療具に適用した場合には、確かに形状保持機能を高めることはできる。しかし、従来の第１磁気治療具の着脱操作の煩わしさおよび個人差に対応できずにフィット感が得られないといった前述の問題を解決することはできない。さらに、芯材を鉛などの金属で構成するために重くなるといった問題が発生する。また、当該装飾腕輪の構造を仮に従来の第２磁気治療具に適用した場合には、形状保持機能を高めることはできるが、頸部に圧迫感を与えるといった問題を解決できない。加えて、重くなる問題も生じる。
【００１２】
本発明は上記課題に鑑みてなされたものであり、着脱が容易でかつ軽量であり、また、装着部位に圧迫感を与えることがなく、装着部位にフィットした状態で装着することができる磁気治療具を提供することを目的とする。
【課題を解決するための手段】
【００１３】
［１］上記目的を達成するための一実施形態に係る磁気治療具は、身体の所定部位に沿うように形状を変化させることが可能であるとともに当該形状を変化させたときの形状保持が可能な磁気治療具であって、細長い形状の第一ゴム状弾性体と、第一ゴム状弾性体の長手方向に沿って配設されており、ポリカーボネートよりも形状保持能力の高い合成樹脂でなる形状保持用の芯材と、身体に磁力を及ぼすように第一ゴム状弾性体に含まれる磁性材と、を備える。
【００１４】
［２］別の実施形態に係る磁気治療具では、芯材は、主としてスチレン・ブタジエンブロック共重合体および／または高密度ポリエチレンから成るものでも良い。
【００１５】
［３］別の実施形態に係る磁気治療具では、磁性材は、磁粉および固形磁石であって、第一ゴム状弾性体は、磁粉が分散されている磁粉入り第二ゴム状弾性体と、固形磁石の一部が露出するように固形磁石が埋設され、磁粉入り第二ゴム状弾性体の長手方向に沿って磁粉入り第二ゴム状弾性体と一体化されている第三ゴム状弾性体と、を有し、芯材は、磁粉入り第二ゴム状弾性体および第三ゴム状弾性体の少なくとも一方の長手方向に沿って配設されていても良い。
【００１６】
［４］別の実施形態に係る磁気治療具では、磁性材は、磁粉および固形磁石であって、第一ゴム状弾性体は、磁粉が分散されている磁粉入り第二ゴム状弾性体を有し、磁粉入り第二ゴム状弾性体には、固形磁石の一部が露出するように固形磁石が埋設され、かつ芯材は磁粉入り第二ゴム状弾性体の長手方向に沿って配設されていても良い。
【００１７】
［５］別の実施形態に係る磁気治療具では、磁性材は、固形磁石であって、第一ゴム状弾性体は、固形磁石の一部が露出するように固形磁石が埋設されている第三ゴム状弾性体を有し、芯材は、第三ゴム状弾性体の長手方向に沿って配設されていても良い。
【００１８】
［６］別の実施形態に係る磁気治療具では、磁性材は、磁粉であって、第一ゴム状弾性体は、磁粉が分散されている磁粉入り第二ゴム状弾性体と、磁粉入り第二ゴム状弾性体の長手方向に沿って磁粉入り第二ゴム状弾性体と一体化されている第三ゴム状弾性体と、を有し、芯材は、磁粉入り第二ゴム状弾性体および第三ゴム状弾性体の少なくとも一方の長手方向に沿って配設されていても良い。
【００１９】
［７］別の実施形態に係る磁気治療具では、磁性材は、磁粉であって、第一ゴム状弾性体は、磁粉が分散されている磁粉入り第二ゴム状弾性体を有し、芯材は、磁粉入り第二ゴム状弾性体の長手方向に沿って配設されていても良い。
【００２０】
［８］別の実施形態に係る磁気治療具では、複数個の固形磁石が第一ゴム状弾性体の長手方向に沿って配置されていても良い。
【００２１】
［９］別の実施形態に係る磁気治療具では、磁粉入り第二ゴム状弾性体の断面周方向に沿った表面に、磁粉の存在しない表層が形成されていても良い。
【発明の効果】
【００２２】
本発明によれば、着脱が容易でかつ軽量であり、また、装着部位に圧迫感を与えることがなく、装着部位にフィットした状態で装着することができる磁気治療具を提供することができる。
【図面の簡単な説明】
【００２３】
【図１】図１は、第１実施形態に係る磁気治療具の外観斜視図（１Ａ）および当該斜視図におけるＡ−Ａ線断面図（１Ｂ）をそれぞれ示す。
【図２】図２は、第１実施形態に係る磁気治療具の分解斜視図を示す。
【図３】図３は、第１実施形態に係る磁気治療具を製造するための金型のうちの下金型の一部の横断面図を模式的に示す。
【図４】図４は、第１実施形態に係る磁気治療具の形状保持特性を評価するための評価試験の手順を示す。
【図５】図５は、図４に示す評価試験の手順に沿って行った評価試験結果を示す。
【図６】図６は、第１実施形態に係る磁気治療具の使用例を示す。
【図７】図７は、第２実施形態に係る磁気治療具の外観斜視図（７Ａ）および当該斜視図におけるＡ−Ａ線断面図（７Ｂ）をそれぞれ示す。
【図８】図８は、第３実施形態に係る磁気治療具の外観斜視図（８Ａ）および当該斜視図におけるＡ−Ａ線断面図（８Ｂ）をそれぞれ示す
【図９】図９は、第４実施形態に係る磁気治療具の外観斜視図（９Ａ）および当該斜視図におけるＡ−Ａ線断面図（９Ｂ）をそれぞれ示す。
【図１０】図１０は、第５実施形態に係る磁気治療具の外観斜視図（１０Ａ）および当該斜視図におけるＡ−Ａ線断面図（１０Ｂ）をそれぞれ示す。
【図１１】図１１は、第６実施形態に係る磁気治療具の第三ゴム状弾性体を除去した状態の斜視図（１１Ａ）、当該磁気治療具の固形磁石のない部分Ｘで幅方向に切断したときの断面図（１１Ｂ）および当該磁気治療具を固形磁石の位置Ｙで幅方向に切断したときの断面図（１１Ｃ）をそれぞれ示す。
【発明を実施するための形態】
【００２４】
以下、本発明の各実施形態について図面を参照して説明する。なお、以下に説明する各実施形態は、特許請求の範囲に係る発明を限定するものではなく、また、各実施形態の中で説明されている諸要素およびその組み合わせの全てが本発明の解決手段に必須であるとは限らない。
【００２５】
本発明の各実施形態に係る磁気治療具は、身体の所定部位に沿うように形状を変化させることが可能であるとともに、その形状を変化させたときの形状保持が可能な磁気治療具である。ここで、「形状保持が可能」とは、所定の応力を加えて物体の形状を変化させ当該応力を解除した後、その変化させた形状を維持若しくは元に戻るまでの過程の任意の形状を維持し、完全に元の形状には戻らないことを意味する。
【００２６】
この磁気治療具は、細長い形状の第一ゴム状弾性体と、第一ゴム状弾性体の長手方向に沿って配設されており、主としてポリカーボネートよりも形状保持能力の高い合成樹脂でなる形状保持用の芯材と、身体に磁力を及ぼすように第一ゴム状弾性体に含まれる磁性材と、を備える。以下、本発明の各実施形態について図面を参照しながら説明する。
【００２７】
（第１実施形態）
図１は、第１実施形態に係る磁気治療具の外観斜視図（１Ａ）および当該斜視図におけるＡ−Ａ線断面図（１Ｂ）をそれぞれ示す。図２は、第１実施形態に係る磁気治療具の分解斜視図を示す。
【００２８】
第１実施形態に係る磁気治療具１は、細長い形状の第一ゴム状弾性体１０と、当該第一ゴム状弾性体１０の長手方向に沿って埋設されており、ポリカーボネート（ＰＣ）よりも形状保持能力の高い合成樹脂材でなる形状保持用の芯材２０と、身体に磁力を及ぼすように第一ゴム状弾性体に含まれる磁性材３０と、を備える。なお、上記「埋設」は、「配設」の一例にすぎず、芯材２０は、第一ゴム状弾性体１０の長手方向に沿って埋設されずに、第一ゴム状弾性体１０の表面に貼り付けられていても良い。これは、以後の各実施形態でも同様である。
【００２９】
この実施形態における磁性材３０は、磁粉３１および固形磁石３２の２種類である。また、第一ゴム状弾性体１０は、磁粉３１を分散させた磁粉入り第二ゴム状弾性体１１と、固形磁石３２の一部が露出するように当該固形磁石３２が埋設され、磁粉入り第二ゴム状弾性体１１の長手方向に沿って一体化されている第三ゴム状弾性体１２と、を有する。芯材２０は、好ましくは磁粉入り第二ゴム状弾性体１１と同等の長さを有する棒状の樹脂であって、磁粉入り第二ゴム状弾性体１１の長手方向に沿って埋設されている。
【００３０】
なお、この実施形態において、芯材２０は、磁粉入り第二ゴム状弾性体１１に埋設されているが、磁粉入り第二ゴム状弾性体１１および第三ゴム状弾性体１２の少なくとも一方に埋設されていれば足りる。すなわち、第三ゴム状弾性体１２に芯材２０が埋設されていても良く、あるいは磁粉入り第二ゴム状弾性体１１および第三ゴム状弾性体１２の両方に芯材２０が埋設されていても良い。これは、磁粉入り第二ゴム状弾性体１１と第三ゴム状弾性体１２とが一体化された構成を有する後述の実施形態においても同様である。
【００３１】
第一ゴム状弾性体１０、第二ゴム状弾性体１１および第三ゴム状弾性体１２の内の少なくともいずれか１つのゴム状弾性体を形成する好適な材料として、シリコーンゴム、ウレタンゴム、イソプレンゴム、エチレンプロピレンゴム、天然ゴム、エチレンプロピレンジエンゴム、ニトリルゴム（ＮＢＲ）あるいはスチレンブタジエンゴム（ＳＢＲ）等の熱硬化性エラストマー；ウレタン系、エステル系、スチレン系、オレフィン系、ブタジエン系、フッ素系等の熱可塑性エラストマー、あるいはそれらの複合物等を例示できる。前記例示の材料の中では、特にシリコーンゴムが好ましい。耐熱性および耐寒性に優れ、かつ肌への悪影響が比較的小さいからである。
【００３２】
また、磁粉入り第二ゴム状弾性体１１の周方向に沿った表面には、磁粉３１の存在しない表層１３が形成されている。表層１３は、磁粉入り第二ゴム状弾性体１１の内部に分散されている磁粉３１が外部に出ないようにするためのものであり、磁粉保護層としての機能を有する。表層１３の厚みｔ１は、好ましくは０．２５ｍｍ以上である。表層１３は、磁粉入り第二ゴム状弾性体１１を備える後述の実施形態に係る磁気治療具においても同様に形成可能である。
【００３３】
固形磁石３２は、好ましくは、鍔部３２ａと頭部３２ｂを有する円盤状をなすフェライト系磁石、コバルト系磁石、希土類（サマリウム等）系磁石あるいはこれらの複合系磁石である。また、磁粉３１としては、上記磁石の構成材料を微細化した微粉末を用いることができる。固形磁石３２は、好ましくは、複数個（例えば６個とする）用いられる。複数個の固形磁石３２は、この実施形態では、第三ゴム状弾性体１２の長手方向に沿って一列に配列されている。
【００３４】
なお、複数個の固形磁石３２の配列方法は、複数個の固形磁石３２を１本の直線上に並べるものでも良く、また、複数列に配置されるものでも良い。これは、固形磁石３２を備える他の実施形態においても同様である。また、第１実施形態においては、固形磁石３２の個数は６個であるが、６個に限られず、５個以下あるいは７個以上でも良い。これらの点は、後述する他の実施形態の内、固形磁石３２を用いる実施形態においても同様である。
【００３５】
続いて、芯材２０について説明する。芯材２０は、上述したように、主としてＰＣよりも形状保持能力の高い合成樹脂でなる。当該合成樹脂としては、スチレン・ブタジエンブロック共重合体あるいは高密度ポリエチレンを例示できる。高密度ポリエチレンは、エチレンがほとんど分岐を持たずに直鎖状に結合した結晶性のポリエチレンであって密度９１０ｋｇ／ｍ３以上（ＪＩＳ  Ｋ６７４８）のものをいう。なお、スチレン・ブタジエンブロック共重合体および高密度ポリエチレン（以下、高密度ポリエチレンの延伸体で説明）の形状保持能力については後述する。
【００３６】
芯材２０は、磁粉入り第二ゴム状弾性体１１の長手方向に沿って、一方の端部１１ａから他方の端部１１ｂまでの領域に埋設されている。第１実施形態および後述する他の実施形態において、芯材２０は、スチレン・ブタジエンブロック共重合体を主とする棒状部材である。
【００３７】
第三ゴム状弾性体１２には、磁粉入り第二ゴム状弾性体１１における一方の端部１１ａの端面および他方の端部１１ｂの端面をそれぞれ覆うことができる端面被覆部１５ａ，１５ｂが形成されている。磁粉入り第二ゴム状弾性体１１における一方の端部１１ａの端面および他方の端部１１ｂの端面は、それぞれ端面被覆部１５ａ，１５ｂによって覆われている。その結果、芯材２０が磁粉入り第二ゴム状弾性体１１から抜け出るのを防止できる。また、磁粉入り第二ゴム状弾性体１１における一方の端部１１ａの端面および他方の端部１１ｂの端面が表に露出しないので、磁気治療具１は美観上においても優れたものになる。
【００３８】
このような構成の磁気治療具１は、種々の製造方法によって製造することができ、例えば、次に例示する各工程を経て製造することができる。
【００３９】
磁粉入り第二ゴム状弾性体１１および芯材２０をそれぞれ押出し成形によって製造する。なお、押出し成形によって製造された磁粉入り第二ゴム状弾性体１１には、中心軸に沿って芯材２０を挿入させるための芯材挿入孔１１ｃが形成される。続いて、前記工程によって製造された芯材２０を、同じく前記工程によって製造された磁粉入り第二ゴム状弾性体１１の芯材挿入孔１１ｃに挿入する。これにより、芯材２０が埋設された磁粉入り第二ゴム状弾性体１１が完成する。なお、芯材２０を第二ゴム状弾性体１１の芯材挿入孔１１ｃに挿入する方法に代えて、芯材２０と第二ゴム状弾性体１１とを共押し出し成形して一体成形する方法を採用しても良い。次に、芯材２０が埋設された磁粉入り第二ゴム状弾性体１１（芯材埋設磁粉入りゴム状弾性体と称する）を金型内の所定位置にセットする。
【００４０】
図３は、第１実施形態に係る磁気治療具を製造するための金型の内の下金型の一部の横断面図を模式的に示す。
【００４１】
図３に示すように、下金型５０の内部底面５１には、ピン５２が突設されている。ピン５２は、固形磁石３２を支持するためのものである。下金型５０に固形磁石３２を設置する際、固形磁石３２は、好ましくはピン５２で支持した状態で配置される。固形磁石３２の底部に、ピン５２を挿入するための凹部（図示せず）を設けても良い。このように、固形磁石３２をピン５２で支持した状態で金型内に設置することによって、固形磁石３２は下金型５０の内部底面５１から離間した状態になる。なお、ピン５２の数は、１個の固形磁石３２に対して１本に限らず、２本あるいは３本以上としても良い。
【００４２】
次に、下金型５０に図示しない上金型を装着してなる金型内に第三ゴム状弾性体１２用の硬化性ゴム組成物を流し込む。このとき、金型内に流し込まれた硬化性ゴム組成物は、当該金型内において、芯材埋設磁粉入りゴム状弾性体の長手方向に沿って、一方の端部１１ａの端面および他方の端部１１ｂの端面をそれぞれ覆うように流れ込む。これにより、第三ゴム状弾性体１２には、芯材埋設磁粉入りゴム状弾性体における一方の端部１１ａの端面および他方の端部１１ｂの端面をそれぞれ覆う端面被覆部１５ａ，１５ｂが形成される。金型内に、第三ゴム状弾性体１２用の硬化性ゴム組成物が流し込まれ、射出成形が行われる。なお、射出成形に代えて、トランスファー成形や圧縮成形を行っても良い（以後の実施形態において行う射出成形も同様である）。その後、上金型を取り外して、下金型５０から、第三ゴム状弾性体１２と芯材埋設磁粉入りゴム状弾性体とが一体化された成形体を取り出す。その後、矯正用の治具を用いて形状を整えるための形状矯正を行っても良い。
【００４３】
固形磁石３２をその一部が露出するように第三ゴム状弾性体１２中に埋設する方法として、ピン５２を用いて固形磁石３２を保持せずに、次のような方法で実現しても良い。まず、液状の硬化性ゴム組成物を下金型５０の内部底面５１から所定高さまで流し込む。この状態で硬化性ゴム組成物を一次成形する。次に、金型を開いて、固形磁石３２を一次成形したゴム状弾性体上に配置する。次に、再び金型を締めて、金型内の固形磁石３２の大部分を埋設可能な高さまで硬化性ゴム組成物を流し込む。この状態で二次成形を行い、固形磁石３２を埋設した状態の第三ゴム状弾性体１２を製造する。かかる方法でも、固形磁石３２が第三ゴム状弾性体１２の底部から浮いた状態の構造を有する磁気治療具１を製造できる。また、別の方法として、固形磁石３２の頭部３２ｂを上金型の窪みに嵌めて固定し、固形磁石３２の頭部３２ｂ以外を第三ゴム状弾性体１２で被覆可能な状態として、金型内に硬化性ゴム組成物を流し込んでも良い。
【００４４】
芯材埋設磁粉入りゴム状弾性体と第三ゴム状弾性体１２との接着性、および第三ゴム状弾性体１２と固形磁石３２との接着性を向上させるために、例えば、第三ゴム状弾性体１２用の硬化性ゴム組成物中にシランカップリング剤を混ぜ込んでおくことが好ましい。または、芯材埋設磁粉入りゴム状弾性体の第三ゴム状弾性体１２との接合面１１ｄ（図３を参照）および固形磁石３２の第三ゴム状弾性体１２との接合面３２ｃに、それぞれ、シランカップリング剤を塗布するようにしても良い。さらに、シランカップリング剤を硬化性ゴム組成物中に混ぜ込むことと、各接合面１１ｄ，３２ｃにシランカップリング剤を塗布することを組み合わせても良い。
【００４５】
このようにして得られた磁気治療具１では、芯材２０が磁粉入り第二ゴム状弾性体１１に埋設されている。また、固形磁石３２は、その一部を露出させるように第三ゴム状弾性体１２に埋設されている。より具体的には、固形磁石３２は、鍔部３２ａが第三ゴム状弾性体１２の内部に埋設され、鍔部３２ａよりも上部の頭部３２ｂが第三ゴム状弾性体１２の表面からわずかに露出している。このため、固形磁石３２は、第三ゴム状弾性体１２から容易に抜けない。
【００４６】
なお、磁気治療具１の長さ方向両端にアダプタを取り付けて、磁気治療具１を長くしても良い。アダプタは、好ましくは、当該両端と着脱自在な構成を有する。アダプタを磁気治療具１に装着した場合には、頸部の太い成人男性用に、またアダプタを磁気治療具１から取り外した場合には、頸部の細い子供用若しくは女性用に、それぞれ使用できるようにするのが好ましい。
【００４７】
次に、磁気治療具１の形状保持特性を評価するための評価試験について説明する。評価試験は、磁気治療具１の所定位置を折り曲げ位置として設定し、当該折り曲げ位置で磁気治療具１を９０度に折り曲げて１分間放置した後に解放し、解放後５分経過したときの戻り角度θを測定することによって行われる。
【００４８】
図４は、第１実施形態に係る磁気治療具の形状保持特性を評価するための評価試験の手順を示す。図４（ａ）〜図４（ｃ）は評価試験の手順としての第１ステップ〜第３ステップを示す。なお、図４（ａ）は評価試験に用いる磁気治療具１の平面図であり、図４（ｂ）および図４（ｃ）は、図４（ａ）の磁気治療具１をｙ軸に沿って矢印ｙ方向に見た側面図である。この評価試験に用いる磁気治療具１の基本構成は、第１実施形態に係る磁気治療具１と同様であり、磁粉入り第二ゴム状弾性体１１と、固形磁石３２を含む第三ゴム状弾性体１２とが一体化された構成となっている。
【００４９】
図４（ａ）に示すように、磁気治療具１における一方の端部からＬ１（Ｌ１＝５０ｍｍ）の位置が折り曲げ位置Ｐ１として設定される（第１ステップ）。次に、図４（ｂ）に示すように、当該磁気治療具１における一方の端部から折り曲げ位置Ｐ１までの間の部位が当該折り曲げ位置Ｐ１で９０度折り曲げられる（第２ステップ）。次に、９０度折り曲げた状態を１分間保持した後に解放し、図４（ｃ）に示すように、解放後５分経過しときの戻り角度θが測定される（第３ステップ）。なお、磁気治療具１の厚みｔ２は５ｍｍである。
【００５０】
図５は、図４に示す評価試験の手順に沿って行った評価試験結果を示す。なお、図５は、磁粉入り第二ゴム状弾性体１１のみの場合、すなわち、磁粉入り第二ゴム状弾性体１１に芯材２０が埋設されていない場合（サンプル１とする）と、３ｍｍの径φを有する１本のポリカーボネート製の芯材２０を磁粉入り第二ゴム状弾性体１１に埋設した場合（サンプル２とする）と、断面形状が一辺３ｍｍの正方形のスチレン・ブタジエンブロック共重合体製の芯材２０を磁粉入り第二ゴム状弾性体１１に埋設した場合（サンプル３とする）と、３ｍｍの径φを有する１本のスチレン・ブタジエンブロック共重合体製の芯材２０を磁粉入り第二ゴム状弾性体１１に埋設した場合（サンプル４とする）と、２．８ｍｍの径φを有する１本の高密度ポリエチレン延伸体製の芯材２０を磁粉入り第二ゴム状弾性体１１に埋設した場合（サンプル５とする）に対して、それぞれ、図４（ａ）〜図４（ｃ）に示す各ステップの手順で評価試験を行ったときの結果を示す。なお、この評価試験では、図４（ｃ）で示す第３ステップで測定した戻り角度θが小さいほど形状保持特性に優れている。
【００５１】
図５に示すように、サンプル１では、戻り角度は９０度であった。これは、９０度折り曲げても元の状態に戻ってしまうこと、すなわち「形状保持機能なし」を意味する。サンプル２の戻り角度は８５度であった。これは、９０度折り曲げても、殆ど元の状態に戻ってしまうということを意味する。なお、サンプル２では、ポリカーボネートが折れてしまう場合もあった。また、サンプル３の戻り角度は５度であった。これは、９０度折り曲げた場合、５度しか戻らないということ、すなわち、形状保持機能が高いことを意味する。
【００５２】
サンプル４の戻り角度は１０度であった。これは、９０度折り曲げた場合、１０度しか戻らないということを意味する。サンプル４は、サンプル３に比べると、形状保持機能にやや劣るものの高い形状保持機能を有する。サンプル５の戻り角度は４０度であった。これは、９０度折り曲げた場合、４０度戻ってしまうということを意味する。サンプル５は、サンプル３およびサンプル４に比べて形状保持機能に劣るが、ある程度高い形状保持機能を有する。
【００５３】
以上の評価試験結果から、ＰＣより形状保持機能に優れるサンプルは、サンプル３、サンプル４およびサンプル５であるが、サンプル３およびサンプル４は特に形状保持機能が高い。このことから、芯材２０としては、スチレン・ブタジエンブロック共重合体を用いることが特に好ましい。なお、芯材２０として、高密度ポリエチレン延伸体を用いた場合であっても、スチレン・ブタジエンブロック共重合体に次ぐ高い形状保持機能が得られる。このため、磁気治療具１の種類や用途によっては、芯材２０として高密度ポリエチレン延伸体を用いても良い。
【００５４】
図６は、第１実施形態に係る磁気治療具の使用例を示す。図６は、磁気治療具１を、身体の頸部６０に装着した場合が示されている。磁気治療具１は、上述の評価試験に用いたサンプル４とほぼ同様の構成を有する。なお、磁気治療具１の長さ方向両端には、本体と着脱自在なアダプタ６１，６１が取り付けられている。また、アダプタ６１に用いる材料としては、熱可塑性樹脂、熱硬化性樹脂等の如何なる種類の樹脂；  ＳＵＳ、アルミニウム、鉄、ニッケル、亜鉛、それらの合金等の如何なる種類の金属；  アルミナ、窒化ケイ素等の如何なる種類のセラミックスをも挙げることができる。磁気治療具１を頸部６０に装着する際には、例えば、磁気治療具１において一列に並んだ固形磁石３２が頸部６０の後ろ側に位置するように磁気治療具１を頸部６０の周方向に沿わせて湾曲させるように折り曲げて装着する。
【００５５】
以上説明した磁気治療具１によれば、下記に示すような効果が得られる。すなわち、磁気治療具１を例えば図６に示すように頸部６０に装着する際は、磁気治療具１を湾曲させるように折り曲げるだけの操作でよく、係止部と被係止部などを係合させるといった操作が不要である。また、磁気治療具１を図６に示すように装着した後、当該装着した状態を保持できる。このとき、磁気治療具１は、弾性力によって装着状態を保持するものではないため、頸部６０に圧迫感を与えることがない。
【００５６】
また、磁気治療具１は、自由に折り曲げることができるため、装着部位（例えば頸部など）の太ささや表面形状などに個人差があっても、装着部位にフィットした状態（肌に接触した状態）で装着できることから、磁気効果もより高いものとなる。図６に示すように装着されている磁気治療具１を取り外す際には、磁気治療具１を広げるように操作すればよく、係止部と被係止部の係合を解除するといった操作は不要である。
【００５７】
また、芯材２０としては、金属ではなく合成樹脂（例えば、スチレン・ブタジエンブロック共重合体からなる合成樹脂）を用いているため、磁気治療具１は、軽量であり、長時間快適に装着し続けることができる。また、芯材２０を合成樹脂で形成すると、磁気治療具１の低コスト化を図ることができると共に、芯材２０の錆びをも防止できる。
【００５８】
また、第三ゴム状弾性体１２には、芯材埋設磁粉入りゴム状弾性体１１における一方の端部１１ａの端面および他方の端部１１ｂの端面をそれぞれ覆うための端面被覆部１５ａ，１５ｂが形成されている。このため、芯材２０が磁粉入り第二ゴム状弾性体１１から抜け出たり、磁粉３１が一方の端部１１ａの端面および他方の端部１１ｂの端面からこぼれたりすることを防止できる。また、磁粉入り第二ゴム状弾性体１１における一方の端部１１ａの端面および他方の端部１１ｂの端面が露出しないことから、美観上において優れた磁気治療具１を提供できる。
【００５９】
なお、図６においては、磁気治療具１の長さは、頸部６０をほぼ一周するように装着可能とする長さとしたが、これに限られるものではなく、例えば、頸部６０を２／３周程度だけ装着可能とする長さとしても良い。また、磁気治療具１の長さは、その両端部を頸部６０の前部で交差させたり重複させたりすることができるような長さであっても良い。さらに、前述のようなアダプタの着脱によって磁気治療具１の長さを調整できるようにしても良い。これは、後述する他の実施形態に係る磁気治療具においても同様である。
【００６０】
（第２実施形態）
次に、第２実施形態に係る磁気治療具について説明する。なお、第２実施形態において、前述の第１実施形態と共通する構成については、同一の文言および／または符号を付し、その説明を第１実施形態における説明に代え、重複した説明を省略する。
【００６１】
図７は、第２実施形態に係る磁気治療具の外観斜視図（７Ａ）および当該斜視図におけるＡ−Ａ線断面図（７Ｂ）をそれぞれ示す。第２実施形態に係る磁気治療具２は、先に説明した磁気治療具１（図１参照）と比べて、磁粉入り第二ゴム状弾性体１１を備えず、かつ芯材２０が第三ゴム状弾性体１２に埋設されている点で相違し、それ以外の構成を同一とする。
【００６２】
磁気治療具２において、磁性材３０は、固形磁石３２のみである。第一ゴム状弾性体１０は、固形磁石３２を、その一部が露出するように埋設されている第三ゴム状弾性体１２を有する。第三ゴム状弾性体１２において、芯材２０は、第三ゴム状弾性体１２の長手方向に沿って埋設されている。
【００６３】
このような構成を有する磁気治療具２は、種々の製造方法によって製造することができる。例えば、先に説明した磁気治療具１の製造工程とほぼ同様の工程によって製造することができる。磁気治療具２を製造する最初の工程では、第三ゴム状弾性体１２および芯材２０を好ましくは押出し成形によって製造する。第三ゴム状弾性体１２は、その中心軸に沿って芯材２０を挿入させるための芯材挿入孔１２ｃを備える。次に、芯材２０を第三ゴム状弾性体１２の芯材挿入孔１２ｃに挿入する。これにより、芯材２０が埋設された第三ゴム状弾性体１２（芯材埋設第三ゴム状弾性体１２Ａ」が完成する。次に、芯材埋設第三ゴム状弾性体１２Ａを、図３と同様の下金型５０内の所定位置にセットする。次に、磁気治療具１と同様、固形磁石３２を、下金型５０に突設されているピン５２上に配置する。次に、下金型５０に上金型を装着した金型内に、芯材埋設第三ゴム状弾性体１２Ａを形成するための硬化性ゴム組成物を流し込む。次に、上記の射出成形を行った後に金型を開くと、固形磁石３２の一部が露出した状態で埋設された固形磁石埋設第三ゴム状弾性体１２Ｂと、芯材埋設第三ゴム状弾性体１２Ａとが一体化した磁気治療具２が完成する。なお、この実施形態では、芯材埋設第三ゴム状弾性体１２Ａの両端部１２ａ，１２ｂは、固形磁石埋設第三ゴム状弾性体１２Ｂの端面被覆部１５ａ，１５ｂによって覆われる。
【００６４】
磁気治療具２を製造する場合、芯材埋設第三ゴム状弾性体１２Ａと、固形磁石埋設第三ゴム状弾性体１２Ｂとの接着性、および固形磁石埋設第三ゴム状弾性体１２Ｂと固形磁石３２との接着性を向上させるために、硬化性ゴム組成物中にシランカップリング剤を混ぜ、あるいは固形磁石埋設第三ゴム状弾性体１２Ｂの接合面１２ｄあるいは固形磁石３２の接合面３２ｃにシランカップリング剤を塗布しても良い。
【００６５】
（第３実施形態）
次に、第３実施形態に係る磁気治療具について説明する。なお、第３実施形態において、前述の各実施形態と共通する構成については、同一の文言および／または符号を付し、その説明を前述の各実施形態における説明に代え、重複した説明を省略する。
【００６６】
図８は、第３実施形態に係る磁気治療具の外観斜視図（８Ａ）および当該斜視図におけるＡ−Ａ線断面図（８Ｂ）をそれぞれ示す。第３実施形態に係る磁気治療具３は、先に説明した磁気治療具２（図７参照）と比べて、第三ゴム状弾性体１２に代えて磁粉入り第二ゴム状弾性体１１を備える点で相違し、それ以外の構成を同一とする。
【００６７】
磁気治療具３において、磁性材３０は、磁粉３１および固形磁石３２である。第一ゴム状弾性体１０は、磁粉３１を分散した磁粉入り第二ゴム状弾性体１１を有する。磁粉入り第二ゴム状弾性体１１には、固形磁石３２がその一部を露出するように埋設されている。また、芯材２０は、磁粉入り第二ゴム状弾性体１１の長手方向に沿って埋設されている。
【００６８】
このような構成を有する磁気治療具３も、また、前述の磁気治療具２と同様の工程を経て製造可能である。最初の工程では、磁粉入り第二ゴム状弾性体１１および芯材２０が押し出し成形によって製造される。磁粉入り第二ゴム状弾性体１１は、その中心軸に沿って芯材２０を挿入させるための芯材挿入孔１１ｃを備える。次に、芯材２０を、第三ゴム状弾性体１２の芯材挿入孔１２ｃに挿入する。下金型５０（図３を参照）に、芯材２０を芯材挿入孔１１ｃ内に挿入した状態の芯材埋設第二ゴム状弾性体１１Ａがセットされる。次に、下金型５０のピン５２上に固形磁石３２を配置する。下金型５０に上金型を装着した金型内に、磁粉入りの硬化性ゴム組成物を流し込んで射出成形を行う。次に、金型を開くと、固形磁石３２の一部が露出した状態で埋設された固形磁石埋設磁粉入り第二ゴム状弾性体１１Ｂと、芯材埋設磁粉入り第二ゴム状弾性体１１Ａとが一体化した磁気治療具３が完成する。シランカップリング剤の混合あるいは塗布については、前述の各実施形態における方法と同様である。また、ピン５２を用いずに、２段階で磁粉入り硬化性ゴム組成物を流し込んで、固形磁石３２を下金型５０の内部底面５１から浮かせて第二ゴム状弾性体中に埋設できる点も前述の各実施形態と同様である。
【００６９】
（第４実施形態）
次に、第４実施形態に係る磁気治療具について説明する。なお、第４実施形態において、前述の第１実施形態と共通する構成については、同一の文言および／または符号を付し、その説明を前述の各実施形態における説明に代え、重複した説明を省略する。
【００７０】
図９は、第４実施形態に係る磁気治療具の外観斜視図（９Ａ）および当該斜視図におけるＡ−Ａ線断面図（９Ｂ）をそれぞれ示す。第４実施形態に係る磁気治療具４は、先に説明した磁気治療具１（図１参照）と比べて、固形磁石３２を備えていない点で相違し、それ以外の構成を同一とする。
【００７１】
図９に示す磁気治療具４において、磁性材３０は、磁粉３１のみである。第一ゴム状弾性体１０は、磁粉３１をゴム状弾性体中に分散した状態の磁粉入り第二ゴム状弾性体１１と、磁粉入り第二ゴム状弾性体１１とその長手方向に沿って一体化されている第三ゴム状弾性体１２と、を有する。磁粉入り第二ゴム状弾性体１１は、その長手方向に沿って芯材２０を埋設した構成を有する。
【００７２】
磁気治療具４を製造する際には、先に説明した磁気治療具１を製造する場合とほぼ同様の工程を実施すれば良い。ただし、磁気治療具４は固形磁石３２を備えていないため、下金型５０内に、固形磁石３２を支持するためのピン５２（図３参照）は不要である。芯材２０を埋設した状態の磁粉入り第二ゴム状弾性体１１を製造後、同弾性体１１を下金型５０内の所定位置に設置して、下金型５０に上金型を装着した金型内に第三ゴム状弾性体１２用の硬化性ゴム組成物を流し込んで射出成形を行う。最後に金型を開くと、第三ゴム状弾性体１２と、芯材２０を挿入した状態の磁粉入り第二ゴム状弾性体１１とが一体化した磁気治療具４が完成する。当該磁気治療具４は、固形磁石３２を備えないため、固形磁石３２を備える他の実施形態と比較して柔軟性に富むため多様な形状にしやすく、頸部への密着性に優れる。
【００７３】
なお、磁気治療具１と同様に、第三ゴム状弾性体１２には、芯材埋設磁粉入り第二ゴム状弾性体１１における一方の端部１１ａの端面および他方の端部１１ｂの端面をそれぞれ覆う端面被覆部１５ａ，１５ｂが形成される。また、シランカップリング剤の混合または塗布に関しては、前述の各実施形態と同様である。
【００７４】
磁気治療具４は、先に説明した磁気治療具１と同様に使用することができる（図６参照）。また、磁気治療具４は、磁気治療具１で得られる効果に加えて、固形磁石３２が存在しない分だけ、より軽量化が図れる。このため、磁気治療具４は、長時間使用する場合に適したものとなると共に、より低コスト化にて製造可能である。また、磁気治療具４は、固形磁石３２が存在しない分だけ製造工程数を少なくすることができるため、歩留まりの向上およびそれに伴う低コスト化をも図ることができる。
【００７５】
（第５実施形態）
次に、第５実施形態に係る磁気治療具について説明する。なお、第５実施形態において、前述の各実施形態と共通する構成については、同一の文言および／または符号を付し、その説明を前述の各実施形態における説明に代え、重複した説明を省略する。
【００７６】
図１０は、第５実施形態に係る磁気治療具の外観斜視図（１０Ａ）および当該斜視図におけるＡ−Ａ線断面図（１０Ｂ）をそれぞれ示す。第５実施形態に係る磁気治療具５は、先に説明した磁気治療具３（図８を参照）と比べて、固形磁石３２を備えていない点で相違し、それ以外の構成を同様の構成とする。
【００７７】
磁気治療具５において、磁性材３０は、磁粉３１のみである。第一ゴム状弾性体１０は、磁粉３１を分散させた磁粉入り第二ゴム状弾性体１１を有する。芯材２０は、磁粉入り第二ゴム状弾性体１１の長手方向に沿って埋設されている。
【００７８】
このような構成を有する磁気治療具５は、種々の製造方法によって製造することができる。磁気治療具５は、先に説明した磁気治療具１の製造工程より簡易な工程を経て製造することができる。最初に、芯材挿入孔を形成した磁粉入り第二ゴム状弾性体１１を押し出し成形にて製造すると共に、芯材２０を別途、製造する。次に、磁粉入り第二ゴム状弾性体１１の芯材挿入孔内に芯材２０を挿入し、磁気治療具５を完成する。
【００７９】
磁気治療具５も、先に説明した磁気治療具１と同様に使用することができる（図６参照）。また、磁気治療具５は、磁気治療具１で得られる効果に加えて、固形磁石３２が存在しないので、さらに軽量であって、かつ低コストにて製造できる。加えて、磁気治療具５は、固形磁石３２を備えないため、固形磁石３２を備える他の実施形態と比較して柔軟性に富むため多様な形状にしやすく、頸部への密着性に優れる。また、磁気治療具５は、固形磁石３２が存在しない分だけ製造工程数を少なくできる。これは、歩留まりの向上および低コスト化につながる。
【００８０】
（第６実施形態）
次に、第６実施形態に係る磁気治療具について説明する。なお、第６実施形態において、前述の各実施形態と共通する構成については、同一の文言および／または符号を付し、その説明を前述の各実施形態における説明に代え、重複した説明を省略する。
【００８１】
図１１は、第６実施形態に係る磁気治療具の第三ゴム状弾性体を除去した状態の斜視図（１１Ａ）、当該磁気治療具の固形磁石のない部分Ｘで幅方向に切断したときの断面図（１１Ｂ）および当該磁気治療具を固形磁石の位置Ｙで幅方向に切断したときの断面図（１１Ｃ）をそれぞれ示す。
【００８２】
第６実施形態に係る磁気治療具６は、第１実施形態に係る磁気治療具１（図１参照）と比べて、芯材２０を第三ゴム状弾性体１２の内部にまで延出させ、その延出させた部分にて固形磁石３２を固定させている点で相違し、それ以外の構成を同一とする。
【００８３】
図１１（１１Ｃ）に示すように、磁気治療具６において、磁粉入り第二ゴム状弾性体１１中の芯材２０は、第三ゴム状弾性体１２中に延出させた固形磁石固定板６３と連成されている。芯材２０と固形磁石固定板６３とを連成した連成体６５は、好ましくは同一部材によって構成されている。連成体６５は、平面視にて略Ｔ字形状を有する。連成体６５の材料は、ＰＣよりも形状保持能力の高い合成樹脂、好適には、主として、スチレン・ブタジエンブロック共重合体あるいは高密度ポリエチレンの延伸体であることが好ましい。
【００８４】
固形磁石固定板６３は、図１１（１１Ａ，１１Ｃ）に示すように、全体として薄い長方体を成す平板である。固形磁石固定板６３は、その一方の面（表側の面と称しても良い）に、固形磁石３２の固定位置を決めるための位置決め部７０を備える。ここでは、固形磁石３２は、固形磁石固定板６３の長手方向に沿って一列に６個固定される。このため、位置決め部７０は、固形磁石固定板６３の長手方向に沿って一列に６箇所設けられている。位置決め部７０は、第三ゴム状弾性体１２における固形磁石３２の位置を決めることができる形態であれば、如何なる形態を有するものでも良い。この実施形態では、各位置決め部７０は、固形磁石３２の頭部３２ｂと鍔部３２ａとの境界にある段差部分の周囲４箇所を掛止可能な４つの爪部６４を備える。
【００８５】
爪部６４は、図１１（１１Ｃ）に示すように、フック状の爪である。固形磁石３２を固形磁石固定板６３の表側から爪部６４に対し押し込むと、爪部６４は、外方向に開くように変形し、固形磁石３２の鍔部３２ａを通過可能になる。その後、爪部６４は、頭部３２ｂと鍔部３２ａとの間の段差部分に掛かる。これにより、固形磁石３２は、固形磁石固定板６３に固定される。フック状の爪は、１箇所の位置決め部７０につき１個以上備えられていればよい。ここでは、爪部６４は、固形磁石３２の周囲に等間隔で４本立設される爪を備えるが、２本、３本、あるいはさらに安定して固形磁石３２を固形磁石固定板６３上に固定可能なように、５本以上の爪を備えるものでも良い。また、１枚の固形磁石固定板６３に複数個の固形磁石３２を全て固定する他、複数枚の固形磁石固定板６３にそれぞれ１以上の固形磁石３２を固定しても良い。固形磁石３２の個数と固形磁石固定板６３の枚数については、特段、制約はない。
【００８６】
固形磁石固定板６３は、図１１（１１Ａ）に示すように、第三ゴム状弾性体１２を成形するための金型（さらに具体的には下金型５０）と固形磁石固定板６３とを結合するための金型結合部の一例として、ピン挿入孔７１，７１を備える。この実施形態では、金型結合部は、下金型５０の内部底面５１から上方に突出するピン５２，５２（図３を参照）に挿入可能なピン挿入孔７１，７１であるが、金型と固形磁石固定板６３とを結合することができれば如何なる形態を有していても良い。例えば、下金型５０側に挿入孔が設けられている場合には、金型結合部は、固形磁石固定板６３から突出した部分であって、上記挿入孔に挿入可能なピンとすることもできる。
【００８７】
このように、芯材２０と固形磁石固定板６３とを有する連成体６５を備えた磁気治療具６は、例えば、以下のような手順にて製造できる。磁粉入り第二ゴム状弾性体１１および連成体６５をそれぞれ押出し成形によって製造する。なお、押出し成形によって製造された磁粉入り第二ゴム状弾性体１１には、中心軸に沿って芯材２０を挿入させるための芯材挿入孔１１ｃが形成される点は、第１実施形態と同様である。続いて、連成体６５の芯材２０の部分を磁粉入り第二ゴム状弾性体１１の芯材挿入孔１１ｃに挿入する。これにより、芯材２０が埋設された磁粉入り第二ゴム状弾性体１１が完成する。次に、固形磁石３２を固形磁石固定板６３上に固定する。次に、磁粉入り第二ゴム状弾性体１１と連成体６５と固形磁石３２とのユニットを金型内の所定位置にセットする。当該セット時において、下金型５０のピン５２，５２を固形磁石固定板６３のピン挿入孔７１，７１に差し込む。これにより、金型内の各固形磁石３２の上下左右の位置が高精度に決まる。続いて、下金型５０に上金型を装着してなる金型内に第三ゴム状弾性体１２用の硬化性ゴム組成物を流し込み、射出成形を行う。その後、上金型を取り外して、下金型５０から成形体を取り出す。その後、矯正用の治具を用いて形状を整えるための形状矯正を行っても良い。固形磁石３２は、固形磁石固定板６３に固定されているため、射出成形時に金型内で移動しない。この結果、複数の固形磁石３２の間隔、各頭部３２ｂの突出高さ、各固形磁石３２の水平度を高精度に保持した磁気治療具６を製造できる。
【００８８】
（その他の実施形態）
なお、本発明は上述の実施形態に限られるものではなく、本発明の要旨を逸脱しない範囲で種々変形実施可能となるものである。例えば、下記に示すような変形実施も可能である。
【００８９】
上記各実施形態においては、芯材２０の本数は１本とした場合を例示したが、芯材２０の本数は、１本に限られるものではなく、例えば２本以上としても良い。芯材２０の径や一辺の長さは、上記実施形態においては、３ｍｍまたは２．８ｍｍとした場合を例示したが、芯材２０の径や一辺の長さもこれに限られずに、適宜、設定可能である。
【００９０】
上記各実施形態においては、磁気治療具１〜６は頸部６０に装着可能なものであるが（図６を参照）、種々の長さに製造することにより、頸部６０以外の部位（例えば、手首や足首など）にも装着可能となる。上記各実施形態においては、芯材２０の主な材料としては、スチレン・ブタジエンブロック共重合体あるいは高密度ポリエチレンの延伸体を用いているが、ＰＣよりも形状保持力の高い樹脂であれば採用できる。また、芯材２０をスチレン・ブタジエンブロック共重合体あるいは高密度ポリエチレン延伸体にて構成する場合、芯材２０は、主として（５０質量％以上を意味する）スチレン・ブタジエンブロック共重合体あるいは高密度ポリエチレン延伸体にて構成されていれば足り、スチレン・ブタジエンブロック共重合体のみ、あるいは高密度ポリエチレン延伸体のみで構成されていることを要しない。ただし、芯材２０は、スチレン・ブタジエンブロック共重合体（あるいは高密度ポリエチレン延伸体）５０質量％以上で構成されるのが好ましく、６０質量％以上で構成されるのがさらに好ましく、７０質量％以上で構成されるのが最も好ましい。さらに、ポリスチレンまたはポリブタジエンを配合して芯材２０の弾性や靭性を調整することもできる。
【００９１】
また、磁気治療具１は、芯材２０を磁粉入り第二ゴム状弾性体１１に埋設し、固形磁石３２を第三ゴム状弾性体１２に埋設する形態を有するが、この逆の構成、すなわち、芯材２０を第三ゴム状弾性体１２に埋設し、固形磁石３２を磁粉入り第二ゴム状弾性体１１に埋設するようにしても良い。また、固形磁石３２の頭部３２ｂは、必ずしも外部に露出していなくとも良い。
【００９２】
磁気治療具１〜６の変形例として、芯材２０を第一ゴム状弾性体１０の長さ方向に埋設する構成であって、かつ磁性材３０を備える限り、磁粉３１の有無、固形磁石３２の有無、表層１３の有無は問わない。このため、第一ゴム状弾性体１０は、磁粉入り第二ゴム状弾性体１１のみ、第三ゴム状弾性体１２のみ、磁粉入り第二ゴム状弾性体１１と第三ゴム状弾性体１２との一体化物のいずれでも良い。芯材２０は、磁粉入り第二ゴム状弾性体１１および第三ゴム状弾性体１２のいずれに存在していても良い。
【産業上の利用可能性】
【００９３】
本発明に係る磁気治療具は、磁気による血行促進作用を有するものとして利用できる。
【符号の説明】
【００９４】
１，２，３，４，５，６・・・磁気治療具、  １０・・・第一ゴム状弾性体、  １１・・・磁粉入り第二ゴム状弾性体、  １２・・・第三ゴム状弾性体、  １３・・・表層、  ２０・・・芯材、  ３０・・・磁性材、  ３１・・・磁粉、  ３２・・・固形磁石。
【図１】
2018175422.tif 000003
【図２】
2018175422.tif 000004
【図３】
2018175422.tif 000005
【図４】
2018175422.tif 000006
【図５】
2018175422.tif 000007
【図６】
2018175422.tif 000008
【図７】
2018175422.tif 000009
【図８】
2018175422.tif 000010
【図９】
2018175422.tif 000011
【図１０】
2018175422.tif 000012
【図１１】
2018175422.tif 000013